(57)【要約】【課題】治療対象が一定電位による刺激に慣れることを防止するとともに、人体にリラックス感を与えることができ、治療効果を持続させることのできる電位治療装置及び組合せ電気治療装置を提供する。【解決手段】電位治療装置１は、所定の電圧を発生させる電圧発生部１４と、電圧発生部１４で発生させる電圧及び当該電圧の出力時間を１／ｆゆらぎ周期に基づいて変化させる制御部２と、治療対象に電圧発生部１４からの電位を印加するための電位治療導子２７，２８とを備える。【選択図】図１
2008055041.tif 000002
【特許請求の範囲】
【請求項１】
所定の電圧を発生させる電圧発生部と、
前記電圧発生部で発生させる電圧及び当該電圧の出力時間を１／ｆゆらぎ周期に基づいて変化させる制御部と、
治療対象に前記電圧発生部からの電位を印加するための電位治療導子と
を備えることを特徴とする電位治療装置。
【請求項２】
出力電圧の上限を設定することのできる出力操作部をさらに備えており、
前記制御部は、前記出力操作部にて設定された出力電圧の上限以下で電圧を１／ｆゆらぎ周期に基づいて変化させることを特徴とする請求項１に記載の電位治療装置。
【請求項３】
前記制御部は、
前記電圧発生部で発生させる電圧を変化させるための電圧制御データと、前記電圧発生部で発生させる電圧の出力時間を変化させるための時間制御データとを関連付けて記憶する記憶部と、
前記記憶部に記憶されている電圧制御データ及び時間制御データに基づいて、前記電圧発生部で発生させる電圧及び当該電圧の出力時間を１／ｆゆらぎ周期に基づいて変化させる処理部と
を有することを特徴とする請求項１又は２に記載の電位治療装置。
【請求項４】
通電時間を制御するタイマーと、
通電時間を設定することのできるタイマー操作部と
をさらに備え、
前記処理部は、前記タイマー操作部にて設定された通電時間が終了するまで、前記電圧発生部で発生させる電圧及び当該電圧の出力時間を１／ｆゆらぎ周期に基づいて変化させることを特徴とする請求項３に記載の電位治療装置。
【請求項５】
前記タイマー操作部にて設定された通電時間が終了すると、前記記憶部は、前記通電時間が終了した時の前記電圧制御データ及び前記時間制御データにおける終了点に関する情報を記憶し、
前記記憶部に前記終了点に関する情報が記憶されている場合に、前記制御部は、前記終了点に関する情報に従い、前記終了点以後の前記電圧制御データ及び前記時間制御データに基づいて、前記電圧発生部で発生させる電圧及び当該電圧の出力時間を１／ｆゆらぎ周期に基づいて変化させることを特徴とする請求項４に記載の電位治療装置。
【請求項６】
前記制御部は、前記電圧発生部で発生させる電圧を漸次上げ下げすることを特徴とする請求項１〜５のいずれかに記載の電位治療装置。
【請求項７】
複数の前記電位治療導子のそれぞれのプラグを挿入する複数のコネクタと、前記複数のコネクタのそれぞれに挿入された前記プラグを検知し、検知信号を前記制御部に送信するセンサとをさらに備え、
前記制御部は、前記複数のコネクタのうちの２以上のコネクタに前記プラグが挿入されている場合に、前記センサからの検知信号に基づいて報知信号を出力することを特徴とする請求項１〜６のいずれかに記載の電位治療装置。
【請求項８】
所定の電圧を発生させる電圧発生部と、
所定のパルス電圧を発生させるパルス電圧発生部と、
前記電圧発生部及び前記パルス電圧発生部を制御する制御部と、
治療対象に前記電圧発生部からの電位を印加する電位治療導子と、
治療対象に前記パルス電圧発生部からのパルス電流を印加する低周波治療導子と
を備え、
前記制御部は、前記電圧発生部で発生させる電圧及び当該電圧の出力時間を１／ｆゆらぎ周期に基づいて変化させるとともに、前記パルス電圧発生部で発生させるパルス電圧のパルス高、パルス幅及び休止時間を１／ｆゆらぎ周期に基づいて変化させることを特徴とする組合せ電気治療装置。
【請求項９】
出力電圧又は出力パルス電圧の上限を設定することのできる出力操作部をさらに備えており、
前記制御部は、前記出力操作部にて設定された出力電圧又は出力パルス電圧の上限以下で電圧又はパルス高を１／ｆゆらぎ周期に基づいて変化させることを特徴とする請求項８に記載の組合せ電気治療装置。
【請求項１０】
前記制御部は、
前記電圧発生部で発生させる電圧を変化させるための電圧制御データと、前記電圧発生部で発生させる電圧の出力時間を変化させるための時間制御データとを関連付けて記憶するとともに、前記パルス電圧発生部で発生させるパルス電圧のパルス高を変化させるためのパルス高制御データと、前記パルス電圧発生部で発生させるパルス電圧のパルス幅を変化させるためのパルス幅制御データと、前記パルス電圧発生部で発生させるパルス電圧の休止時間を変化させるための休止時間制御データとを関連付けて記憶する記憶部と、
前記記憶部に記憶されている電圧制御データ及び時間制御データに基づいて、前記電圧発生部で発生させる電圧及び当該電圧の出力時間を１／ｆゆらぎ周期に基づいて変化させるとともに、前記記憶部に記憶されているパルス高制御データ、パルス幅制御データ及び休止時間制御データに基づいて、前記パルス電圧発生部で発生させるパルス電圧のパルス高、パルス幅及び休止時間を１／ｆゆらぎ周期に基づいて変化させる処理部と
を有することを特徴とする請求項８又は９に記載の組合せ電気治療装置。
【請求項１１】
通電時間を制御するタイマーと、
通電時間を設定することのできるタイマー操作部と
をさらに備え、
前記処理部は、前記タイマー操作部にて設定された通電時間が終了するまで、前記電圧発生部で発生させる電圧及び当該電圧の出力時間を１／ｆゆらぎ周期に基づいて変化させるとともに、前記パルス電圧発生部で発生させるパルス電圧のパルス高、パルス幅及び休止時間を１／ｆゆらぎ周期に基づいて変化させることを特徴とする請求項１０に記載の組合せ電気治療装置。
【請求項１２】
前記タイマー操作部にて設定された通電時間が終了すると、前記記憶部は、前記通電時間が終了した時の前記電圧制御データ及び前記時間制御データにおける第１の終了点に関する情報を記憶するとともに、前記通電時間が終了したときの前記パルス高制御データ、前記パルス幅制御データ及び前記休止時間制御データにおける第２の終了点に関する情報を記憶し、
前記記憶部に前記第１の終了点に関する情報が記憶されている場合に、前記処理は、前記第１の終了点に関する情報に従い、前記第１の終了点以後の前記電圧制御データ及び前記時間制御データに基づいて、前記電圧発生部で発生させる電圧及び当該電圧の出力時間を１／ｆゆらぎ周期に基づいて変化させ、
前記記憶部に前記第２の終了点に関する情報が記憶されている場合に、前記処理部は、前記第２の終了点以後の前記パルス高制御データ、前記パルス幅制御データ及び前記休止時間制御データに基づいて、前記パルス電圧発生部で発生させるパルス電圧のパルス高、パルス幅及び休止時間を１／ｆゆらぎ周期に基づいて変化させることを特徴とする請求項１１に記載の組合せ電気治療装置。
【請求項１３】
前記制御部は、前記電圧発生部で発生させる電圧を漸次上げ下げすることを特徴とする請求項８〜１２のいずれかに記載の組合せ電気治療装置。
【請求項１４】
前記電位治療導子のプラグを挿入し得る第１のコネクタと、
前記低周波治療導子のプラグを挿入し得る第２のコネクタと、
前記電位治療導子のプラグが前記第１のコネクタに挿入されていることを検知し、前記制御部に第１の検知信号を送信する第１のセンサと、
前記低周波治療導子のプラグが前記第２のコネクタに挿入されていることを検知し、前記制御部に第２の検知信号を送信する第２のセンサと
をさらに備え、
前記制御部は、前記第１の検知信号を受信した場合には、前記電圧発生部を制御し、前記第２の検知信号を受信した場合には、前記パルス電圧発生部を制御することを特徴とする請求項８〜１３のいずれかに記載の組合せ電気治療装置。
【請求項１５】
液晶ディスプレイをさらに備え、
前記制御部は、前記第１の検知信号又は第２の検知信号を受信した場合、前記液晶ディスプレイに当該第１の検知信号又は第２の検知信号に基づく治療設定表示画像を表示することを特徴とする請求項１４に記載の組合せ電気治療装置。
【請求項１６】
前記制御部は、前記第１の検知信号又は前記第２の検知信号を受信している状態において前記第２の検知信号又は前記第１の検知信号を受信した場合に、報知信号を出力することを特徴とする請求項１４又は１５に記載の組合せ電気治療装置。
【発明の詳細な説明】
【技術分野】
【０００１】
本発明は、人体に電位を印加して治療を施す電位治療装置及び電位治療と低周波治療とを実行することのできる組合せ電気治療装置に関するものである。
【背景技術】
【０００２】
従来、人体の全体又は一部に交流高圧電位を印加することにより、頭痛、肩こり、慢性便秘、不眠症等の治療を行う電位治療装置や、人体の全体又は一部に低周波電流を印加することにより、肩こり、筋肉疲労等の治療を行う低周波治療装置が知られている。
【０００３】
例えば、図６に示すような電位治療装置１００においては、ＡＣ１００Ｖの交流電源１０１からスイッチＳＷを介してトランス１０２に給電され、トランス１０２で高圧に変換された電圧が、３つの抵抗Ｒ１，Ｒ２，Ｒ３及びダイオードＤにより正負非対称にされて電床１０３に与えられ、電床１０３から人体に対して電位が印加される（特許文献１参照）。この電位治療装置１００では、トランス１０２の一次側のタップをスイッチＳＷで切り換えることにより、出力電圧を調整している。
【０００４】
出力電圧としては、一般的に、例えば３０００Ｖ、６０００Ｖ、９０００Ｖ等が設定されるが、上記のような構成を有する電位治療装置１００では、スイッチＳＷで設定された一定の電位が人体に印加されることとなる。このように、一定の電位が人体に印加されると、人体がその電位による刺激に慣れてしまい、治療効果が弱まってしまうという問題があった。そこで、出力電圧を変化させ、一定の電位が人体に印加されないようにする電位治療装置が種々提案されている。
【特許文献１】特開昭５８−１４６３６１号公報
【発明の開示】
【発明が解決しようとする課題】
【０００５】
しかしながら、これらの電位治療装置は、出力電圧の変化が一定のパターンに基づくものであるため、人によってはその変化に対応できず、治療途中又は治療後に気分障害を引き起こすおそれがあり、快適に治療を行うことができないという問題がある。
【０００６】
ここで、自然界の水、風、光等に見られる一定のリズムである「１／ｆゆらぎ」は、人にリラックス効果を与えることが知られている。これは、人体の心拍リズム等に見られるように、人体のリズムが「１／ｆゆらぎ」に近いことによるものとされている。そのため、電位治療装置において出力電圧を変化させたとしても、人体のリズムと出力電圧の変化とが整合せず、リラックスをして治療を行うことができず、これにより、治療効果が向上しないおそれがあると考えられる。
【０００７】
本発明は、このような実情に鑑みてなされたものであり、治療対象が一定電位又は一定電流による刺激に慣れることを防止するとともに、人にリラックス感を与えることができ、治療効果を持続・向上させることのできる電位治療装置及び組合せ電気治療装置を提供することを目的とする。
【課題を解決するための手段】
【０００８】
上記目的を達成するために、本発明は、所定の電圧を発生させる電圧発生部と、前記電圧発生部で発生させる電圧及び当該電圧の出力時間を１／ｆゆらぎ周期に基づいて変化させる制御部と、治療対象に前記電圧発生部からの電位を印加するための電位治療導子とを備えることを特徴とする電位治療装置を提供する（請求項１）。
【０００９】
電圧発生部としては、変圧器（トランス）等を例示することができるが、これに限定されるものではない。
また、電圧制御部としては、コンピュータのＣＰＵ（中央演算処理装置）と、ＬＰＦ（Low Pass Filter）、増幅器又は変圧器のタップを切り換えるスイッチ等とを組み合わせたものを例示することができるが、これらに限定されるものではない。
【００１０】
さらに、電位治療導子は、治療対象（人体）の全体に電位を印加する電床であってもよいし、治療対象（人体）の一部に電位を印加するペン型等の局所導子であってもよい。
【００１１】
上記発明（請求項１）によれば、治療対象（人体）に印加する電位を１／ｆゆらぎに基づいて変化させることができるとともに、治療対象（人体）に印加する電位の出力時間も１／ｆゆらぎに基づいて変化させることができるため、治療対象が電位による刺激に慣れることを防止することができるとともに、刺激の変化を人体のリズムにより近づけることができ、ユーザにリラックス感を与えながら治療を行うことができる。これにより、治療効果を持続・向上させることができる。
【００１２】
上記発明（請求項１）においては、出力電圧の上限を設定することのできる出力操作部をさらに備えており、前記制御部は、前記出力操作部にて設定された出力電圧の上限以下で電圧を１／ｆゆらぎ周期に基づいて変化させることが好ましい（請求項２）。
【００１３】
上記発明（請求項２）によれば、治療対象（ユーザ）が所望する出力範囲内で、治療対象に印加する電位を１／ｆゆらぎの周期に基づいて変化させることができるとともに、その出力範囲内での電位の出力時間を１／ｆゆらぎの周期に基づいて変化させることができる。
【００１４】
上記発明（請求項１，２）において、前記制御部は、前記電圧発生部で発生させる電圧を変化させるための電圧制御データと、前記電圧発生部で発生させる電圧の出力時間を変化させるための時間制御データとを関連付けて記憶する記憶部と、前記記憶部に記憶されている電圧制御データ及び時間制御データに基づいて、前記電圧発生部で発生させる電圧及び当該電圧の出力時間を１／ｆゆらぎ周期に基づいて変化させる処理部とを有することが好ましい（請求項３）。
【００１５】
上記発明（請求項３）によれば、電圧制御データ及び時間制御データに基づいて電圧及び出力時間を１／ｆゆらぎ周期に基づいて変化させることができるため、制御部に負荷をかけることなく治療対象に電位を印加することができる。
【００１６】
上記発明（請求項３）においては、通電時間を制御するタイマーと、通電時間を設定することのできるタイマー操作部とをさらに備え、前記処理部は、前記タイマー操作部にて設定された通電時間が終了するまで、前記電圧発生部で発生させる電圧及び当該電圧の出力時間を１／ｆゆらぎ周期に基づいて変化させることが好ましい（請求項４）。
【００１７】
上記発明（請求項４）によれば、タイマー操作部で設定された通電時間中、制御部による電圧及び出力時間の１／ｆゆらぎ周期に基づく変化を途切らせることなく連続的に行うことができる。
【００１８】
上記発明（請求項４）においては、前記タイマー操作部にて設定された通電時間が終了すると、前記記憶部は、前記通電時間が終了した時の前記電圧制御データ及び前記時間制御データにおける終了点に関する情報を記憶し、前記記憶部に前記終了点に関する情報が記憶されている場合に、前記制御部は、前記終了点に関する情報に従い、前記終了点以後の前記電圧制御データ及び前記時間制御データに基づいて、前記電圧発生部で発生させる電圧及び当該電圧の出力時間を１／ｆゆらぎ周期に基づいて変化させることが好ましい（請求項５）。
【００１９】
タイマー操作部により設定された通電時間によっては、電圧制御データ及び時間制御データの途中で通電が終了することがあるが、上記発明（請求項５）によれば、例えば、２０分間の長さを有する電圧制御データ及び時間制御データの途中（例えば、１５分間）で治療が終了した場合に、再度治療を行うときには終了した後（１５分以降）の電圧制御データ及び時間制御データに基づいて治療対象に電位が印加されるため、治療回ごとに電位の変化パターンが異なり、治療対象が電位による刺激に慣れることを防止することができる。
【００２０】
上記発明（請求項１〜５）においては、前記制御部は、前記電圧発生部で発生させる電圧を漸次上げ下げする（例えば、１０００Ｖを０．５秒かけて漸次上げ下げする）のが好ましい（請求項６）。
【００２１】
例えば、９０００Ｖの高電圧を一気に印加すると、突入電流が大きく、回路への負荷が過大となり、また人体への刺激も大き過ぎる場合があるが、上記発明（請求項７）によれば、電圧を漸次上げ下げすることにより、突入電流を小さくし、回路及び人体に対する悪影響を低減させることができる。
【００２２】
上記発明（請求項１〜６）においては、複数の前記電位治療導子のそれぞれのプラグを挿入する複数のコネクタと、前記複数のコネクタのそれぞれに挿入された前記プラグを検知し、検知信号を前記制御部に送信するセンサとをさらに備え、前記制御部は、前記複数のコネクタのうちの２以上のコネクタに前記プラグが挿入されている場合に、前記センサからの検知信号に基づいて報知信号を出力することが好ましい（請求項７）。
【００２３】
電位治療装置においては、２以上のコネクタに電位治療導子のプラグを挿入した状態で当該電位治療装置を作動させることはできないが、上記発明（請求項７）によれば、２以上のコネクタに電位治療導子のプラグが挿入されている場合には、使用する１の電位治療導子をユーザに選択させるように報知信号を出力することができる。これにより、２以上のコネクタに電位治療導子のプラグを挿入した状態で電位治療装置が作動することはない。
【００２４】
また、本発明は、所定の電圧を発生させる電圧発生部と、所定のパルス電圧を発生させるパルス電圧発生部と、前記電圧発生部及び前記パルス電圧発生部を制御する制御部と、治療対象に前記電圧発生部からの電位を印加する電位治療導子と、治療対象に前記パルス電圧発生部からのパルス電流を印加する低周波治療導子とを備え、前記制御部は、前記電圧発生部で発生させる電圧及び当該電圧の出力時間を１／ｆゆらぎ周期に基づいて変化させるとともに、前記パルス電圧発生部で発生させるパルス電圧のパルス高、パルス幅及び休止時間を１／ｆゆらぎ周期に基づいて変化させることを特徴とする組合せ電気治療装置を提供する（請求項８）。
【００２５】
上記発明（請求項８）によれば、電位治療及び低周波治療の両方の治療が行える組合せ電気治療装置において、電位治療を行うときには、１／ｆゆらぎ周期に基づいて電圧及び当該電圧の出力時間を変化させることができるとともに、低周波治療を行うときには、１／ｆゆらぎ周期に基づいてパルス電圧のパルス高、パルス幅及び休止時間を変化させることができ、これによりパルス周波数も１／ｆゆらぎ周期に基づいて変化させることができるため、電位治療又は低周波治療を行うときに、治療対象が電位又は電流による刺激に慣れることを防止することができるとともに、刺激の変化を人体のリズムにより近づけることで、ユーザにリラックス感を与えることができる。これにより、治療効果を持続・向上させることができる。
【００２６】
上記発明（請求項８）においては、出力電圧又は出力パルス電圧の上限を設定することのできる出力操作部をさらに備えており、前記制御部は、前記出力操作部にて設定された出力電圧又は出力パルス電圧の上限以下で電圧又はパルス高を１／ｆゆらぎ周期に基づいて変化させることが好ましい（請求項９）。
【００２７】
上記発明（請求項９）によれば、治療対象（ユーザ）が所望する出力範囲内で、治療対象に印加する電位又はパルス電圧を１／ｆゆらぎの周期に基づいて変化させることができるとともに、その出力範囲内での電位の出力時間又はパルス電圧のパルス幅及び休止時間を１／ｆゆらぎの周期に基づいて変化させることができる。
【００２８】
上記発明（請求項８，９）においては、前記制御部は、前記電圧発生部で発生させる電圧を変化させるための電圧制御データと、前記電圧発生部で発生させる電圧の出力時間を変化させるための時間制御データとを関連付けて記憶するとともに、前記パルス電圧発生部で発生させるパルス電圧のパルス高を変化させるためのパルス高制御データと、前記パルス電圧発生部で発生させるパルス電圧のパルス幅を変化させるためのパルス幅制御データと、前記パルス電圧発生部で発生させるパルス電圧の休止時間を変化させるための休止時間制御データとを関連付けて記憶する記憶部と、前記記憶部に記憶されている電圧制御データ及び時間制御データに基づいて、前記電圧発生部で発生させる電圧及び当該電圧の出力時間を１／ｆゆらぎ周期に基づいて変化させるとともに、前記記憶部に記憶されているパルス高制御データ、パルス幅制御データ及び休止時間制御データに基づいて、前記パルス電圧発生部で発生させるパルス電圧のパルス高、パルス幅及び休止時間を１／ｆゆらぎ周期に基づいて変化させる処理部とを有することが好ましい（請求項１０）。
【００２９】
上記発明（請求項１０）によれば、電圧制御データ及び時間制御データに基づいて電圧及び出力時間を１／ｆゆらぎ周期に基づいて変化させることができるとともに、パルス高制御データ、パルス幅制御データ及び休止時間制御データに基づいてパルス高、パルス幅及び休止時間を１／ｆゆらぎ周期に基づいて変化させることができるため、制御部に負荷をかけることなく治療対象に電位又はパルス電圧を印加することができる。
【００３０】
上記発明（請求項１０）においては、通電時間を制御するタイマーと、通電時間を設定することのできるタイマー操作部とをさらに備え、前記処理部は、前記タイマー操作部にて設定された通電時間が終了するまで、前記電圧発生部で発生させる電圧及び当該電圧の出力時間を１／ｆゆらぎ周期に基づいて変化させるとともに、前記パルス電圧発生部で発生させるパルス電圧のパルス高、パルス幅及び休止時間を１／ｆゆらぎ周期に基づいて変化させることが好ましい（請求項１１）。
【００３１】
上記発明（請求項１１）によれば、タイマー操作部で設定された通電時間中、制御部による電圧及び出力時間の１／ｆゆらぎ周期に基づく変化、並びにパルス高、パルス幅及び休止時間の１／ｆゆらぎ周期に基づく変化を途切らせることなく連続的に行うことができる。
【００３２】
上記発明（請求項１１）においては、前記タイマー操作部にて設定された通電時間が終了すると、前記記憶部は、前記通電時間が終了した時の前記電圧制御データ及び前記時間制御データにおける第１の終了点に関する情報を記憶するとともに、前記通電時間が終了したときの前記パルス高制御データ、前記パルス幅制御データ及び前記休止時間制御データにおける第２の終了点に関する情報を記憶し、前記記憶部に前記第１の終了点に関する情報が記憶されている場合に、前記処理は、前記第１の終了点に関する情報に従い、前記第１の終了点以後の前記電圧制御データ及び前記時間制御データに基づいて、前記電圧発生部で発生させる電圧及び当該電圧の出力時間を１／ｆゆらぎ周期に基づいて変化させ、前記記憶部に前記第２の終了点に関する情報が記憶されている場合に、前記処理部は、前記第２の終了点以後の前記パルス高制御データ、前記パルス幅制御データ及び前記休止時間制御データに基づいて、前記パルス電圧発生部で発生させるパルス電圧のパルス高、パルス幅及び休止時間を１／ｆゆらぎ周期に基づいて変化させることが好ましい（請求項１２）。
【００３３】
タイマー操作部により設定された通電時間によっては、電圧制御データ及び時間制御データの途中で通電が終了したり、パルス高制御データ、パルス幅制御データ及び休止時間制御データの途中で通電が終了したりすることがあるが、上記発明（請求項１２）によれば、例えば、２０分間の長さを有する電圧制御データ及び時間制御データ、又はパルス高制御データ、パルス幅制御データ及び休止時間制御データの途中（例えば、１５分間）で治療が終了した場合に、再度治療を行うときには終了した後（１５分以降）の電圧制御データ及び時間制御データ、又はパルス高制御データ、パルス幅制御データ及び休止時間制御データに基づいて治療対象に電位又はパルス電圧が印加されるため、治療対象が電位又はパルス電圧による刺激に慣れることを防止することができる。
【００３４】
上記発明（請求項８〜１２）によれば、前記制御部は、前記電圧発生部で発生させる電圧を漸次上げ下げすることが好ましい（請求項１３）。例えば、９０００Ｖの高電圧を一気に印加すると、突入電流が大きく、回路への負荷が過大となり、また人体への刺激も大き過ぎる場合があるが、かかる発明（請求項１３）によれば、電圧を漸次上げ下げすることにより、突入電流を小さくし、回路及び人体に対する悪影響を低減させることができる。
【００３５】
上記発明（請求項８〜１３）においては、前記電位治療導子のプラグを挿入し得る第１のコネクタと、前記低周波治療導子のプラグを挿入し得る第２のコネクタと、前記電位治療導子のプラグが前記第１のコネクタに挿入されていることを検知し、前記制御部に第１の検知信号を送信する第１のセンサと、前記低周波治療導子のプラグが前記第２のコネクタに挿入されていることを検知し、前記制御部に第２の検知信号を送信する第２のセンサとをさらに備え、前記制御部は、前記第１の検知信号を受信した場合には、前記電圧発生部を制御し、前記第２の検知信号を受信した場合には、前記パルス電圧発生部を制御することが好ましい（請求項１４）。
【００３６】
上記発明（請求項１４）によれば、電位治療を行う場合には、電位治療導子のプラグを第１のコネクタに挿入するだけでよく、低周波治療を行う場合には、低周波治療導子のプラグを第２のコネクタに挿入するだけでよいため、ユーザが治療方法を選択する操作を省略することができる。
【００３７】
上記発明（請求項１４）においては、液晶ディスプレイをさらに備え、前記制御部は、前記第１の検知信号又は第２の検知信号を受信した場合、前記液晶ディスプレイに当該第１の検知信号又は第２の検知信号に基づく治療設定表示画像を表示することが好ましい（請求項１５）。
【００３８】
上記発明（請求項１５）によれば、例えば、制御部が第１の検知信号を受信した場合には、電位治療に関する治療設定表示画像が液晶ディスプレイに表示され、制御部が第２の検知信号を受信した場合には、低周波治療に関する治療設定表示画像が液晶ディスプレイに表示されるため、ユーザが所望する治療方法における治療設定を、治療導子のプラグをコネクタに挿入するだけで選択することができる。
【００３９】
上記発明（請求項１４，１５）においては、前記制御部は、前記第１のセンサ又は前記第２のセンサからの検知信号を受信している状態において前記第２のセンサ又は前記第１のセンサからの検知信号を受信した場合に、報知信号を出力することが好ましい（請求項１６）。
【００４０】
電位治療や低周波治療等の複数の治療方法に使用し得る電気治療装置においては、１回の治療において複数の治療方法を同時に使用することができないが、上記発明（請求項１６）によれば、コネクタに電位治療用導子のプラグと低周波治療用導子のプラグとが同時に挿入されている場合であっても、報知信号を出力し、ユーザに治療方法の選択を促すことができる。
【発明の効果】
【００４１】
本発明によれば、治療対象が一定電位による刺激に慣れることを防止しつつ、人体にリラックス感を与えることができ、治療効果を持続させることのできる電位治療装置及び組合せ電気治療装置を提供することができる。
【発明を実施するための最良の形態】
【００４２】
以下、本発明の一実施形態に係る組合せ電気治療装置を図面に基づいて説明する。
図１は、本実施形態に係る組合せ電気治療装置を示す回路ブロック図であり、図２は、本実施形態に係る組み合わせ電気治療装置の制御部を示すブロック図であり、図３は、本実施形態に係る組合せ電気治療装置における電位治療の処理動作を示すフローチャートであり、図４は、本実施形態に係る組合せ電気治療装置におけるエラー表示の処理動作を示すフローチャートであり、図５は、本実施形態に係る組合せ電気治療装置における低周波治療の処理動作を示すフローチャートである。
【００４３】
図１に示すように、本実施形態に係る組合せ電気治療装置１は、制御部２と、制御部２に接続される操作部３、タイマー４、受信部５、音声ＩＣ６及び画像ＩＣ７と、音声ＩＣ６に接続されるスピーカ６１と、画像ＩＣ７に接続される液晶ディスプレイ（ＬＣＤ，Liquid Crystal Display）７１と、制御部２に接続される第１の正弦波発生器（ＬＰＦ，Low Pass Filter）８及び第２の正弦波発生器９と、第１の正弦波発生器８及び制御部２に接続される第１の可変抵抗器１０と、第２の正弦波発生器９及び制御部２に接続される第２の可変抵抗器１１と、第１の正弦波発生器８及び第１の可変抵抗器１０を介して制御部２に接続される第１の増幅器１２と、第１の増幅器１２に第１のスイッチ１３を介して接続される第１のトランス１４及び第２のトランス１５と、第１のトランス１４及び第２のトランス１５のそれぞれに接続される第１のコネクタ１６及び第２のコネクタ１７と、第１のコネクタ１６及び第２のコネクタ１７のそれぞれに接続される第１のセンサ１８及び第２のセンサ１９と、制御部２に接続される第３の可変抵抗器２０と、第３の可変抵抗器２０を介して制御部２に接続されるパルス波生成回路２１と、第２のスイッチ２２を介して第２の可変抵抗器１１及びパルス波生成回路２１に接続される第２の増幅器２３と、第２の増幅器２３に接続される第３のトランス２４と、第３のトランス２４に接続される第３のコネクタ２５と、第３のコネクタ２６に接続される第３のセンサ２７とを備えている。
【００４４】
図２に示すように、制御部２は、ＣＰＵ２０１、主記憶装置２０２及び補助記憶装置２０３から構成される。主記憶装置２０１は、出力電圧及び当該電圧の出力時間、並びにパルス電圧のパルス高、パルス幅及び休止時間（パルスの立下りから立ち上がりまでの時間）を１／ｆゆらぎ周期に基づいて変化させる各制御データを生成することのできる１／ｆゆらぎ変換プログラム、組合せ電気治療装置１を作動させるためのプログラム等を記憶する。
【００４５】
ＣＰＵ２０１は、主記憶装置２０２に記憶されているプログラムに従って、組合せ電気治療装置１に設けられた各構成要素との間で信号の入出力を行う。また、ＣＰＵ２０１は、主記憶装置２０２に記憶されている１／ｆゆらぎ変換プログラムに従って、１／ｆゆらぎ周期に基づいて出力電圧を変換させるための電圧制御データ及び電圧の出力時間を１／ｆゆらぎ周期に基づいて変換させるための時間制御データを生成する。この電圧制御データ及び時間制御データは、出力設定に応じた２０分間の出力電圧制御データであるが、これに限定されるものではなく、例えば、４０分間の出力電圧制御データであってもよいし、６０分間の出力電圧制御データであってもよい。少なくとも２０分間の出力電圧制御データに基づいて電圧及び出力時間を制御し、変化させることで、人体に刺激の変化に対する慣れを生じさせることがない。この出力電圧制御データは、データ列ナンバー１〜２５６の出力電圧及び出力時間に関するデータ列を有しており、ＣＰＵ２０１は、出力電圧制御データにおけるデータ列ナンバー１から順にこの出力電圧制御データに基づいて所定の電圧を所定の時間出力し、ナンバー２５６のデータに基づいて所定の電圧を所定の時間出力した後ナンバー１のデータに戻ることで、繰り返し実行される。なお、本実施形態において、出力電圧制御データは、データ列ナンバー１〜２５６の出力電圧及び出力時間に関するデータ列を有しているが、これに限定されるものではなく、例えば、データ列ナンバー１〜１０２４の出力電圧及び出力時間に関するデータ列を有していてもよいし、データ列ナンバー１〜４０９６の出力電圧及び出力時間に関するデータ列を有していてもよい。
【００４６】
さらに、ＣＰＵ２０１は、主記憶装置２０２に記憶されている１／ｆゆらぎ変換プログラムに従って、１／ｆゆらぎ周期に基づいてパルス高を変換させるためのパルス高制御データ、１／ｆゆらぎ周期に基づいてパルス幅を変換させるためのパルス幅制御データ及び１／ｆゆらぎ周期に基づいて休止時間を変換させるための休止時間制御データを生成する。このパルス高制御データ、パルス幅制御データ及び休止時間制御データからなるパルス電圧制御データは、出力設定に応じた２０分間のパルス電圧制御データであるが、これに限定されるものではなく、例えば、４０分間のパルス電圧制御データであってもよいし、６０分間のパルス電圧制御データであってもよい。少なくとも２０分間のパルス電圧制御データに基づいてパルス高、パルス幅及び休止時間を制御し、変化させることで、人体に刺激の変化に対する慣れを生じさせることがない。このパルス電圧制御データは、データ列ナンバー１〜２５６のパルス高、パルス幅及び休止時間に関するデータ列を有しており、ＣＰＵ２０１は、パルス電圧制御データにおけるデータ列ナンバー１から順にこのパルス電圧制御データに基づいてパルス電圧を制御し、ナンバー２５６のデータに基づいてパルス電圧を制御した後ナンバー１のデータに戻り、繰り返し実行される。なお、本実施形態において、出力電圧制御データは、データ列ナンバー１〜２５６のパルス高、パルス幅及び休止時間に関するデータ列を有しているが、これに限定されるものではなく、例えば、データ列ナンバー１〜１０２４のパルス高、パルス幅及び休止時間に関するデータ列を有していてもよいし、データ列ナンバー１〜４０９６のパルス高、パルス幅及び休止時間に関するデータ列を有していてもよい。
【００４７】
ＣＰＵ２０１は、電圧制御データ及び時間制御データに基づいて、第１の可変抵抗１０を制御したり、パルス高制御データ、パルス幅制御データ及び休止時間制御データに基づいて、第２の可変抵抗１１や第３の可変抵抗２０を制御したりする。
【００４８】
補助記憶装置２０３は、例えば、不揮発メモリ等により構成されており、ＣＰＵ２０１により生成された電圧制御データと時間制御データとを関連付けて記憶したり、電圧制御データ及び時間制御データに基づく電位の出力が終了したポイントに関する情報（第１の出力終了ポイント情報）を記憶したりする。また、補助記憶装置２０３は、ＣＰＵ２０１により生成されたパルス高制御データ、パルス幅制御データ及び休止時間制御データを関連付けて記憶したり、パルス高制御データ、パルス幅制御データ及び休止時間制御データに基づくパルス電圧の出力が終了したポイントに関する情報（第２の出力終了ポイント情報）を記憶したりする。
【００４９】
第１の正弦波発生器８及び第２の正弦波発生器９は、制御部２からの制御信号に基づいて、所定の周波数を有する正弦波を発生させる。
【００５０】
第１の可変抵抗１０、第２の可変抵抗１１及び第３の可変抵抗２０は、制御部２（ＣＰＵ２０１）からの制御信号に基づいて、出力電圧を調整する。第１の可変抵抗１０は、第１の正弦波発生器８より発振された正弦波を所定の出力電圧に調整する。第２の可変抵抗１１は、第２の正弦波発生器９より発振された正弦波を所定の出力電圧に調整するとともに、所定のパルス波を生成する。第３の可変抵抗２０は、制御部２（ＣＰＵ２０１）からの制御信号に基づき、所定の出力電圧に調整する。第１の可変抵抗１０は、出力電圧を０〜１５Ｖの範囲で調整し、第２の可変抵抗１１は、出力電圧を０〜２０Ｖの範囲で調整し、第３の可変抵抗２０は、出力電圧を０〜２０Ｖの範囲で調整する。
【００５１】
第１の増幅器１２及び第２の増幅器２３は、入力電圧を増幅して出力する。第１の増幅器１２は、入力電圧を０〜６０Ｖの範囲で増幅して出力し、第２の増幅器２３は、入力電圧を０〜３０Ｖの範囲で増幅して出力する。
【００５２】
第１のトランス１４、第２のトランス１５及び第３のトランス２４は、入力電圧を変換（昇圧又は降圧）して出力する。第１のトランス１４は、入力電圧を０〜９０００Ｖの範囲で変換して出力し、第２のトランス１５は、入力電圧を０〜１６００Ｖの範囲で変換して出力し、第３のトランス２４は、入力電圧を０〜３０Ｖの範囲で変換して出力する。
【００５３】
パルス波生成回路２１は、第３の可変抵抗２０により出力された電圧に従って、所定の周波数を有するパルス波を生成する。
【００５４】
第１のコネクタ１６は、電床２７のプラグが挿入されるコネクタであり、第１のコネクタ１６に接続されている第１のセンサ１８は、第１のコネクタ１６に電床２７のプラグが挿入されたことを検知し、制御部２に第１の検知信号を送信する。
【００５５】
第２のコネクタ１７は、電位治療用プローブ２８のプラグが挿入されるコネクタであり、第２のコネクタ１７に接続されている第２のセンサ１９は、第２のコネクタ１７に電位治療用プローブ２８のプラグが挿入されたことを検知し、制御部２に第２の検知信号を送信する。
【００５６】
第３のコネクタ２５は、低周波治療用プローブ２９のプラグが挿入されるコネクタであり、第３のコネクタ２５に接続されている第３のセンサ２６は、第３のコネクタ２５に低周波治療用プローブ２９のプラグが挿入されたことを検知し、制御部２に第３の検知信号を送信する。
【００５７】
なお、第１のコネクタ１６は電床２７専用のコネクタであり、第２のコネクタ１７は電位治療用プローブ２８専用のコネクタであり、第３のコネクタ２５は低周波治療用プローブ２９専用のコネクタである。したがって、第１〜第３のコネクタ１６，１７，２５のいずれかに他のプローブのプラグが挿入されると、第１〜第３のコネクタ１６，１７，２５は、他のプローブのプラグが挿入されている旨のエラー信号を制御部２に送信する。例えば、第１のコネクタ１６に低周波治療用プローブ２９のプラグが挿入されると、第１のセンサ１８は、他のプラグが挿入されている旨のエラー信号を制御部２に送信する。
【００５８】
操作部３には、主電源のスイッチ、「高」、「中」及び「低」の出力レベル設定スイッチ、治療時間設定（５〜２０分の５分刻み）スイッチ及び治療スタート／ストップのスイッチ、低周波治療を行う際に筋刺激治療又は神経刺激治療を選択するためのスイッチが設けられている。
【００５９】
第１のスイッチ１３は、電床２７又は電位治療用プローブ２８に電流を供給するための切替スイッチであり、電床２７のプラグが第１のコネクタ１６に挿入されたことを第１のセンサ１８が検知し、第１の検知信号が制御部２に送信されると、制御部２（ＣＰＵ２０１）からの制御信号に従い、第１のスイッチ１３が電床２７側に切り替えられる。一方、電位治療用プローブ２８のプラグが第２のコネクタ１７に挿入されたことを第２のセンサ１９が検知し、第２の検知信号が制御部２に送信されると、制御部２（ＣＰＵ２０１）からの制御信号に従い、第１のスイッチ１３が電位治療用プローブ２８側に切り替えられる。
【００６０】
第２のスイッチ２２は、筋刺激治療又は神経刺激治療を行うために低周波治療用プローブ２９に低周波電流を供給するための切替スイッチであり、ユーザが操作部３にて筋刺激治療を選択すると、制御部２（ＣＰＵ２０１）からの制御信号に従い、第２のスイッチ２２が第２の正弦波発生器９及び第２の可変抵抗１１側（筋刺激治療側）に切り替えられる。一方、ユーザが操作部３にて神経刺激治療を選択すると、制御部２（ＣＰＵ２０１）からの制御信号に従い、第２のスイッチ２２が第３の可変抵抗２０及びパルス波生成回路２１側（神経刺激治療側）に切り替えられる。
【００６１】
電床２７は、例えば、絶縁布の中に導体布を設け、その導体布の一端に端子を介して高圧コードを接続してなるものであり、椅子の座部や足元等に設置される。電位治療用プローブ２８は、例えば、導体を備え、導体の一端に端子を介して高圧コードを接続してなるものであり、導体を治療対象部位に接触させることにより、治療対象部位に局所的に電位を印加することができる。低周波治療用プローブ２９は、例えば、表面に粘着性を有するパッドの中に電極を設け、電極の一端に端子を介して高圧コードを接続してなるものであり、パッドを治療対象部位に貼付することにより、治療対象部位にパルス電流（低周波電流）を印加することができる。
【００６２】
本実施形態に係る組合せ電気治療装置は、図示しない電源回路を有している。かかる電源回路は、組合せ電気治療装置１の主電源のＯＮ／ＯＦＦを実行するものであり、操作部３にて主電源のスイッチがＯＮ又はＯＦＦにされると、その信号がＣＰＵ２０１に送信され、ＣＰＵ２０１からの信号に従って、電源回路が組合せ電気治療装置１の主電源をＯＮ又はＯＦＦにする。
【００６３】
タイマー４は、制御部２（ＣＰＵ２０１）に接続されており、操作部３にて治療時間の設定がなされた場合、制御部２（ＣＰＵ２０１）からの制御信号に基づき、設定された治療時間を計時する機能を有する。
【００６４】
受信部５は、赤外線を受信し得る赤外線センサを有しており、リモコン３０から送信された赤外線信号を受信し、制御部２（ＣＰＵ２０１）に送信する。これにより、リモコン３０を用いて主電源のＯＮ／ＯＦＦ、出力レベルの設定、治療時間の設定、治療スタート／ストップ等の操作をすることができる。
【００６５】
音声ＩＣ６は、制御部２（ＣＰＵ２０１）からの制御信号に基づいて、音声データを生成し、当該音声データに基づいて、スピーカ６１から音声を出力する。例えば、ＣＰＵ２０１から送信される報知信号に基づいて、報知メッセージを音声として出力する。
【００６６】
画像ＩＣ７は、制御部２（ＣＰＵ２０１）からの制御信号に基づいて、画像データを生成し、当該画像データに基づいて、液晶ディスプレイ（ＬＣＤ）７１に画像を表示する。例えば、画像ＩＣ７は、ＣＰＵ２０１からの操作画像生成信号に基づいて、操作用画像データを生成し、液晶ディスプレイ７１に操作用画像を表示したり、ＣＰＵ２０１からの報知画像生成信号に基づいて、報知画像データを生成し、液晶ディスプレイ７１に報知画像を表示したりする。
【００６７】
次に、組合せ電気治療装置１における電床２７を用いた電位治療の処理動作について、図３に示すフローチャートを参照して説明する。
【００６８】
まず、ユーザが、操作部３における主電源のスイッチをＯＮにすると、その信号が操作部３からＣＰＵ２０１に送信され、ＣＰＵ２０１からの制御信号により電源回路が交流電源から給電し、組合せ電気治療装置１の主電源をＯＮにする。
【００６９】
ユーザが、電床２７のプラグを第１のコネクタ１６に挿入すると、第１のセンサ１８が第１のコネクタ１６に電床２７のプラグが挿入されたことを検知し、第１の検知信号をＣＰＵ２０１に送信し、ＣＰＵ２０１は、第１のセンサ１８からの第１の検知信号を受信する（Ｓ１０１）。
【００７０】
ＣＰＵ２０１は、第１のセンサ１８から送信された第１の検知信号を受信すると、第２の検知信号又は第３の検知信号を受信中であるか否かを判断する（Ｓ１０２）。第２の検知信号又は第３の検知信号を受信中であると判断した場合（Ｓ１０２，Ｙｅｓ）、ＣＰＵ２０１は、エラー表示処理を行う（Ｓ１０３）。
【００７１】
図４に示すように、エラー表示処理において、ＣＰＵ２０１は、エラーメッセージを音声で出力させるための報知信号を音声ＩＣ６に送信するとともに、エラーメッセージを画像として表示させるための報知画像生成信号を画像ＩＣ７に送信する（Ｓ１０３−１）。
【００７２】
音声ＩＣ６は、ＣＰＵ２０１からの報知信号に基づいて音声データを生成し、画像ＩＣ７は、ＣＰＵ２０１からの報知画像生成信号に基づいて画像データを生成する。そして、音声ＩＣ６は、生成した音声データに基づいてスピーカ６１からエラーメッセージを音声として出力するとともに、画像ＩＣ７は、生成した画像データに基づいて液晶ディスプレイ７１にエラーメッセージ画像を表示させる。
【００７３】
ＣＰＵ２０１は、第１の検知信号、第２の検知信号又は第３の検知信号のいずれかのみを受信中であるか否かを判断する（Ｓ１０３−２）。ユーザが、電位治療用プローブ２８のプラグや低周波治療用プローブ２９のプラグを第２のコネクタ１７や第３のコネクタ２５から抜き、電床２７のプラグのみが挿入されている状態にすると、ＣＰＵ２０１は、第１の検知信号のみを受信中であると判断し（Ｓ１０３−２，Ｙｅｓ）、音声出力を中止させるための信号を音声ＩＣ６に送信するとともに、画像表示を中止させるための信号を画像ＩＣ７に送信する（Ｓ１０３−３）。これにより、エラー表示処理が終了する。このように、本実施形態に係る組合せ電気治療装置１は、第１〜第３のコネクタ１６，１７，２５のうちの２以上にプラグが挿入されている場合、エラーメッセージを音声及び画像として報知するため、ユーザに治療方法の選択を促すことができるとともに、１のプラグのみが挿入されている状態でない限りは治療を行うことができないため、安全に治療を行うことができる。
【００７４】
エラー表示処理（Ｓ１０３）が終了すると、又は上記ステップＳ１０２にて第２の検知信号及び第３の検知信号を受信していないと判断すると（Ｓ１０２，Ｎｏ）、ＣＰＵ２０１は、第１のスイッチ１３を電床２７側に切り替えるとともに、電床２７を用いた電位治療に関する操作画像を生成するための信号を画像ＩＣ７に送信する（Ｓ１０４）。
【００７５】
画像ＩＣ７は、ＣＰＵ２０１からの信号に基づいて、操作画像に関するデータを生成し、生成した操作画像に関するデータに基づいて、液晶ディスプレイ７１に操作画像を表示する。これにより、ユーザは、電床２７を用いた電位治療に関する設定操作を行うことができる。
【００７６】
ＣＰＵ２０１は、操作部３にて出力設定が「高」、「中」及び「低」のうちのいずれかに設定されたか否かを判断する（Ｓ１０５）。例えば、ユーザが操作部３にて出力設定を「高」に設定すると、ＣＰＵ２０１は、操作部３からの出力設定信号に基づいて、設定された出力設定「高」に対応する第１の出力終了ポイント情報が補助記憶装置２０３に記憶されているか否かを判断する（Ｓ１０６）。
【００７７】
補助記憶装置２０３に出力設定「高」に対応する第１の出力終了ポイント情報が記憶されていない場合（Ｓ１０６，Ｎｏ）、ＣＰＵ２０１は、主記憶装置２０２に記憶されている１／ｆゆらぎ変換プログラムを読み出し、当該１／ｆゆらぎ変換プログラムに従って、出力設定「高」に対応する電圧制御データを生成する（Ｓ１０７）。なお、出力設定「高」に対応する電圧制御データとは、出力電圧を０〜９０００Ｖの範囲で１／ｆゆらぎ周期に基づいて変化させるためのデータのことである。そして、ＣＰＵ２０１は、生成した電圧制御データを補助記憶装置２０３に記憶する（Ｓ１０８）。
【００７８】
なお、ユーザが操作部３にて出力設定を「中」又は「低」に設定し、補助記憶装置２０３にそれらの出力設定に対応する第１の出力終了ポイント情報が記憶されていない場合、ＣＰＵ２０１は、主記憶装置２０２に記憶されている１／ｆゆらぎ変換プログラムを読み出し、当該１／ｆゆらぎ変換プログラムに従って、出力設定「中」又は「低」に対応する電圧制御データを生成し（Ｓ１０７）、電圧制御データを補助記憶装置２０３に記憶する（Ｓ１０８）。出力設定「中」に対応する電圧制御データとは、出力電圧を０〜７０００Ｖの範囲で１／ｆゆらぎ周期に基づいて変化させるためのデータのことであり、出力設定「低」に対応する電圧制御データとは、出力電圧を０〜５０００Ｖの範囲で１／ｆゆらぎ周期に基づいて変化させるためのデータのことである。
【００７９】
次に、ＣＰＵ２０１は、１／ｆゆらぎ変換プログラムに従い、生成した電圧制御データに基づく電圧の出力時間を１／ｆゆらぎ周期に変換した時間制御データを生成し（Ｓ１０９）、生成した時間制御データを、電圧制御データに関連付けて補助記憶装置２０３に記憶する（Ｓ１１０）。時間制御データとは、電圧制御データに基づいて変化された電圧が出力される時間を、０．１〜１０秒の範囲で１／ｆゆらぎ周期に基づいて変化させるためのデータのことである。
【００８０】
一方、出力設定「高」に対応する第１の出力終了ポイント情報が補助記憶装置２０３に記憶されている場合（Ｓ１０６，Ｙｅｓ）、ＣＰＵ２０１は、補助記憶装置２０３に記憶されている第１の出力終了ポイント情報を読み出す（Ｓ１１１）。
【００８１】
ＣＰＵ２０１は、操作部３にて治療時間が設定されたか否かを判断する（Ｓ１１２）。ユーザが操作部３にて治療時間を設定すると、ＣＰＵ２０１はその設定された治療時間を補助記憶装置２０３に記憶する（Ｓ１１３）。そして、ＣＰＵ２０１は、操作部３にて治療スタートのスイッチがＯＮにされたか否かを判断する（Ｓ１１４）。
【００８２】
ユーザが操作部３にて治療スタートのスイッチをＯＮにすると、ＣＰＵ２０１は、設定治療時間に関する信号をタイマー４に送信し（Ｓ１１５）、補助記憶装置２０３に記憶されている電圧制御データ及び時間制御データを読み出す（Ｓ１１６）。
【００８３】
そして、ＣＰＵ２０１は、読み出した電圧制御データ及び時間制御データに基づいて、第１の可変抵抗１０を制御する（Ｓ１１７）。このとき、ＣＰＵ２０１は、１０００Ｖ／０．５秒の比率で電圧を漸次上下するように第１の可変抵抗１０を制御する。このように、電圧を漸次上下することにより、突入電流を小さくし、回路及び人体に対する悪影響を低減することができる。また、上記ステップＳ１１２において第１の出力終了ポイント情報を読み出した場合、ＣＰＵ２０１は、読み出した第１の出力終了ポイント情報に従い、電圧制御データ及び時間制御データにおける出力終了ポイント以後の制御データに基づいて、第１の可変抵抗１０を制御する（Ｓ１１７）。
【００８４】
ＣＰＵ２０１が第１の可変抵抗１０を制御することによって、第１の増幅器１２を介して第１のトランス１４の二次側で発生させる出力電圧が１／ｆゆらぎ周期に基づいて変化するように制御される。そして、第１のトランス１４で発生させた、１／ｆゆらぎ周期に基づいて変化する電圧が電床２７に出力され、電床２７から人体に電位が印加される。
【００８５】
ＣＰＵ２０１は、起動させたタイマー４からの治療時間終了に関する信号を受信すると（Ｓ１１８）、かかる信号に基づいて、電圧の発生を停止させて（Ｓ１１９）処理動作を終了するとともに、電圧の出力を終了したポイントに関する情報（第１の出力終了ポイント情報）を補助記憶装置２０３に記憶する（Ｓ１２０）。
【００８６】
このように、ＣＰＵ２０１は、電圧制御データ及び時間制御データを読み出し、それらのデータに基づいて、設定された治療時間が終了するまで第１の可変抵抗１０、ひいては第１のトランス１４を制御し、発生させた電圧を電床２７に出力する。したがって、ユーザには、１／ｆゆらぎ周期に基づいて変化する電位が印加されることとなる。このようにして、本実施形態に係る組合せ電気治療装置１は、ユーザが電位による刺激に慣れることを防止し、治療効果を持続させることができるとともに、ユーザにリラックス感を与えることもできる。
【００８７】
続いて、本実施形態に係る組合せ電気治療装置１における低周波治療用プローブ２９を用いた低周波治療の処理動作について、図５に示すフローチャートに基づいて説明する。
【００８８】
まず、ユーザが、操作部３における主電源のスイッチをＯＮにすると、その信号が操作部３からＣＰＵ２０１に送信され、ＣＰＵ２０１からの制御信号により電源回路が交流電源から給電し、組合せ電気治療装置１の主電源をＯＮにする。
【００８９】
ユーザが、低周波治療用プローブ２９のプラグを第３のコネクタ２５に挿入すると、第３のセンサ２６が第３のコネクタ２５に低周波治療用プローブ２９のプラグが挿入されたことを検知し、第３の検知信号をＣＰＵ２０１に送信し、ＣＰＵ２０１は、第３のセンサ２６からの第３の検知信号を受信する（Ｓ２０１）。
【００９０】
ＣＰＵ２０１は、第３のセンサ２６から送信された第３の検知信号を受信すると、第１の検知信号又は第２の検知信号を受信中であるか否かを判断する（Ｓ２０２）。第１の検知信号又は第２の検知信号を受信中であると判断した場合（Ｓ２０２，Ｙｅｓ）、ＣＰＵ２０１は、図４に示すように、エラー表示処理を行う（Ｓ２０３）。
【００９１】
エラー表示処理（Ｓ２０３）が終了すると、又は上記ステップＳ２０２にて第１の検知信号及び第２の検知信号を受信していないと判断すると（Ｓ２０２，Ｎｏ）、ＣＰＵ２０１は、低周波治療用プローブ２９を用いた低周波治療に関する操作画像を生成するための信号を画像ＩＣ７に送信する（Ｓ２０４）。
【００９２】
画像ＩＣ７は、かかる操作画像生成信号に基づいて、操作画像に関するデータを生成し、生成した操作画像に関するデータに基づいて、液晶ディスプレイ７１に操作画像を表示する。具体的には、ユーザに筋刺激治療又は神経刺激治療を選択させるための画像が液晶ディスプレイ７１に表示される。
【００９３】
ユーザが、液晶ディスプレイ７１に表示された操作画像に従い、操作部３にて筋刺激治療又は神経刺激治療を選択すると、ＣＰＵ２０１は、操作部３から送信された筋刺激治療が選択された旨の信号又は神経刺激治療が選択された旨の信号（治療方法選択信号）を受信し（Ｓ２０５）、当該治療方法選択信号に基づいて、第２のスイッチ２２を第２の可変抵抗１１側（筋刺激治療側）又はパルス波生成回路２１側（神経刺激治療側）に切り替える（Ｓ２０６）。例えば、ユーザが操作部３にて筋刺激治療を選択すると、ＣＰＵ２０１は、操作部３からの治療方法選択信号に基づいて、第２のスイッチ２２を第２の可変抵抗１１側に切り替えるための制御信号を第２のスイッチ２２に送信し、第２のスイッチ２２を第２の可変抵抗１１側に切り替える。
【００９４】
ＣＰＵ２０１は、操作部３からの出力設定に関する信号（出力設定信号）を受信し、操作部３にて出力設定が「高」、「中」及び「低」のうちのいずれかに設定されたか否かを判断する（Ｓ２０７）。例えば、ユーザが操作部３にて出力設定を「高」に設定すると、ＣＰＵ２０１は、操作部３からの出力設定信号に基づいて、設定された出力設定に対応する第２の出力終了ポイント情報が補助記憶装置２０３に記憶されているか否かを判断する（Ｓ２０８）。
【００９５】
補助記憶装置２０３に出力設定「高」に対応する第２の出力終了ポイント情報が記憶されていない場合（Ｓ２０８，Ｎｏ）、ＣＰＵ２０１は、主記憶装置２０２に記憶されている１／ｆゆらぎ変換プログラムを読み出し、当該１／ｆゆらぎ変換プログラムに従って、出力設定「高」に対応するパルス高制御データを生成する（Ｓ２０９）。なお、出力設定「高」に対応するパルス高制御データとは、パルス高を０〜３０Ｖの範囲で１／ｆゆらぎ周期に基づいて変化させるためのデータのことである。そして、ＣＰＵ２０１は、生成したパルス高制御データを補助記憶装置２０３に記憶する（Ｓ２１０）。
【００９６】
なお、ユーザが操作部３にて出力設定を「中」又は「低」に設定し、補助記憶装置２０３にそれらの出力設定に対応する第２の出力終了ポイント情報が記憶されていない場合、ＣＰＵ２０１は、主記憶装置２０２に記憶している１／ｆゆらぎ変換プログラムを読み出し、当該１／ｆゆらぎ変換プログラムに従って、出力設定「中」又は「低」に対応するパルス高制御データを生成し（Ｓ２０９）、パルス高制御データを補助記憶装置２０３に記憶する（Ｓ２１０）。出力設定「中」に対応するパルス高制御データとは、パルス高を０〜１５Ｖの範囲で１／ｆゆらぎ周期に基づいて変化させるためのデータのことであり、出力設定「低」に対応するパルス高制御データとは、パルス高を０〜１０Ｖの範囲で１／ｆゆらぎ周期に基づいて変化させるためのデータのことである。
【００９７】
次に、ＣＰＵ２０１は、１／ｆゆらぎ変換プログラムに従い、パルス幅を１／ｆゆらぎ周期に変換したパルス幅制御データを生成し（Ｓ２１１）、生成したパルス幅制御データを、パルス高制御データに関連付けて補助記憶装置２０３に記憶する（Ｓ２１２）。パルス幅制御データとは、パルス幅を２〜２０ｍｓの範囲で１／ｆゆらぎ周期に基づいて変化させるためのデータのことである。
【００９８】
さらに、ＣＰＵ２０１は、１／ｆゆらぎ変換プログラムに従い、休止時間を１／ｆゆらぎ周期に変換した休止時間制御データを生成し（Ｓ２１３）、生成した休止時間制御データを、パルス高制御データ及びパルス幅関連データに関連付けて補助記憶装置２０３に記憶する（Ｓ２１４）。休止時間制御データとは、休止時間（パルスの立下りから立ち上がりまでの時間）を２〜２０ｍｓの範囲で１／ｆゆらぎ周期に基づいて変化させるためのデータのことである。
【００９９】
一方、出力設定「高」に対応する第２の出力終了ポイント情報が補助記憶装置２０３に記憶されている場合（Ｓ２０８，Ｙｅｓ）、ＣＰＵ２０１は、補助記憶装置２０３に記憶されている出力設定「高」に対応する第２の出力終了ポイント情報を読み出す（Ｓ２１５）。
【０１００】
ＣＰＵ２０１は、操作部３にて治療時間が設定されたか否かを判断する（Ｓ２１６）。ユーザが操作部３にて治療時間を設定すると、ＣＰＵ２０１はその設定された治療時間を補助記憶装置２０３に記憶する（Ｓ２１７）。そして、ＣＰＵ２０１は、操作部３にて治療スタートのスイッチがＯＮにされたか否かを判断する（Ｓ２１８）。
【０１０１】
ユーザが操作部３にて治療スタートのスイッチをＯＮにすると、ＣＰＵ２０１は、設定治療時間に関する信号をタイマー４に送信し（Ｓ２１９）、補助記憶装置２０３に記憶されているパルス高制御データ、パルス幅関連データ及び休止時間制御データを読み出す（Ｓ２２０）。
【０１０２】
そして、ＣＰＵ２０１は、読み出したパルス高制御データ、パルス幅制御データ及び休止時間制御データに基づいて、第２の可変抵抗１１（上記ステップＳ２０５にて神経刺激治療を選択した旨の信号を受信した場合には第３の可変抵抗２０）を制御する（Ｓ２２１）。上記ステップＳ２１５において第２の出力終了ポイント情報を読み出した場合、ＣＰＵ２０１は、読み出した第２の出力終了ポイント情報に従い、パルス高制御データ、パルス幅制御データ及び休止時間制御データのうちの第２の出力終了ポイント以後の制御データに基づいて、第２の可変抵抗１１（又は第３の可変抵抗２０）を制御する（Ｓ２２１）。
【０１０３】
ＣＰＵ２０１が第２の可変抵抗１１（又は第３の可変抵抗２０）を制御することによって、第２の増幅器２３を介して第３のトランス２４の二次側で発生させるパルス電圧のパルス高、パルス幅及び休止時間が１／ｆゆらぎ周期に基づいて変化するように制御される。パルス幅及び休止時間を１／ｆゆらぎ周期に基づいて変化することにより、結果としてパルス周波数を１／ｆゆらぎ周期に基づいて変化することができる。そして、第３のトランス２４で発生させたパルス電圧は低周波治療用プローブ２９に出力され、低周波治療用プローブ２９から人体に１／ｆゆらぎ周期に基づいてパルス高、パルス幅及び休止時間の変化したパルス電流が印加される。
【０１０４】
ＣＰＵ２０１は、起動させたタイマー４からの治療時間終了に関する信号を受信すると（Ｓ２２２）、かかる信号に基づいて、パルス電圧の発生を停止させて（Ｓ２２３）処理動作を終了するとともに、出力終了ポイントに関する情報（第２の出力終了ポイント情報）を補助記憶装置２０３に記憶する（Ｓ２２４）。
【０１０５】
以上説明した実施形態は、本発明の理解を容易にするために記載されたものであって、本発明を限定するために記載されたものではない。したがって、上記実施形態に開示された各要素は、本発明の技術的範囲に属する全ての設計変更や均等物をも含む趣旨である。
【０１０６】
例えば、本実施形態に係る組合せ電気治療装置１に比較回路を設け、比較回路で第１のトランス１４、第２のトランス１５又は第３のトランス２４の出力電圧値を測定し、測定結果を制御部２（ＣＰＵ２０１）に入力して、設定電圧値と異なる場合には、その設定電圧値になるように制御部２（ＣＰＵ２０１）によって第１の可変抵抗１０、第２の可変抵抗１１又は第３の可変抵抗２０を制御するようにしてもよい。
【０１０７】
また、本実施形態に係る組合せ電気治療装置１にスパーク検出器を設け、スパークを検出した場合には、その情報を制御部２（ＣＰＵ２０１）に送信し、制御部２（ＣＰＵ２０１）からの指示によって電圧の出力を停止するようにしてもよい。
【図面の簡単な説明】
【０１０８】
【図１】本発明の一実施形態に係る組合せ電気治療装置を示す回路ブロック図である。
【図２】本発明の一実施形態に係る組合せ電気治療装置における制御部を示すブロック図である。
【図３】本発明の一実施形態に係る組み合わせ電気治療装置において電床を用いて電位治療を行う際の処理動作を示すフローチャートである。
【図４】本発明の一実施形態に係る組合せ電気治療装置におけるエラー表示処理を示すフローチャートである。
【図５】本発明の一実施形態に係る組合せ電気治療装置において低周波治療用プローブを用いて低周波治療を行う際の処理動作を示すフローチャートである。
【図６】従来の電位治療装置を示す回路ブロック図である。
【符号の説明】
【０１０９】
１…組合せ電気治療装置
２…制御部
２０１…ＣＰＵ（処理部）
２０２…主記憶装置（記憶部）
２０３…補助記憶装置（記憶部）
３…操作部
４…タイマー
６…音声ＩＣ
６１…スピーカ
７…画像ＩＣ
７１…液晶ディスプレイ
８，９…正弦波発生器
１０，１１，２０…可変抵抗
１２，２３…増幅器
１３，２２…スイッチ
１４，１５，２４…トランス（電圧発生部，パルス電圧発生部）
１６，１７，２５…コネクタ
１８，１９，２６…センサ
２１…パルス波生成回路
２７…電床（電位治療導子）
２８…電位治療用プローブ（電位治療導子）
２９…低周波治療用プローブ（低周波治療導子）
【図１】
2008055041.tif 000003
【図２】
2008055041.tif 000004
【図３】
2008055041.tif 000005
【図４】
2008055041.tif 000006
【図５】
2008055041.tif 000007
【図６】
2008055041.tif 000008